(57)【要約】【課題】  携帯機器を構成する第１ケースと第２ケースとを予め定められた一定の順序で回動させる。【解決手段】  送話ケース２にヒンジ本体５を第１初期位置と第１回動位置との間において、ヒンジ本体５に受話ケース３を第２初期位置と第２回動位置との間をそれぞれ回動可能に連結する。ヒンジ本体５が第１初期位置に位置し、かつ受話ケースが第２初期位置に位置している場合、ヒンジ本体５が第１初期位置に位置し、かつ受話ケース３が第２回動位置に位置している場合、ヒンジ本体５が第１回動位置に位置し、かつ受話ケース３が第２回動位置に位置している場合、及びヒンジ本体５が第１初期位置に位置し、かつ受話ケースが第２回動位置に位置している場合の各場合において、送話ケース２とヒンジ本体５との間に作用する回動阻止力の大きさと、ヒンジ本体５と受話ケース３との間の作用する回動阻止力の大きさとをそれぞれ所定の大きさに定める。【選択図】図６
2005083462.tif 000002
【特許請求の範囲】
【請求項１】
ヒンジ本体と、このヒンジ本体に軸線を第１回動軸線と一致させて設けられた第１ヒンジと、上記ヒンジ本体に軸線を上記第１回動軸線と平行な第２回動軸線と一致させて設けられた第２ヒンジとを備えた２軸ヒンジ装置において、
上記第１ヒンジが、上記ヒンジ本体に回動不能に設けられた第１固定部材と、この第１固定部材に第１初期位置と第１回動位置との間を回動可能に連結された第１回動部材と、上記第１固定部材と上記第１回動部材との間にそれぞれ設けられ、上記第１回動部材が上記第１初期位置から上記第１回動位置側へ回動するのを所定の大きさの力で阻止する第１初期位置側回動阻止手段、上記第１回動部材が上記第１回動位置から上記第１初期位置側へ回動するのを所定の大きさの力で阻止する第１回動位置側回動阻止手段、及び上記第１回動位置側から上記第１初期位置側へ回動する上記第１回動部材を上記第１初期位置に所定の大きさの力で停止させる第１初期位置側停止手段とを有し、
上記第２ヒンジが、上記ヒンジ本体に回動不能に設けられた第２固定部材と、この第２固定部材に第２初期位置と第２回動位置との間を回動可能に連結された第２回動部材と、上記第２固定部材と上記第２回動部材との間にそれぞれ設けられ、上記第２回動部材が上記第２初期位置から上記第２回動位置側へ回動するのを所定の大きさの力で阻止する第２初期位置側回動阻止手段、上記第２回動部材が上記第２回動位置から上記第２初期位置側へ回動するのを所定の大きさの力で阻止する第２回動位置側回動阻止手段、及び上記第２初期位置側から上記第２回動位置側へ回動する上記第２回動部材を上記第２回動位置に所定の大きさの力で停止させる第２回動位置側停止手段とを有し、
上記第１初期位置側から上記第１回動位置側へ向かう回動方向と、上記第２初期位置側から上記第２回動位置側へ向かう回動方向とが同一方向に設定され、
上記第１初期位置側回動阻止手段の回動阻止力が上記第２初期位置側回動阻止手段の回動阻止力より大きく設定され、
上記第２回動位置側停止手段の停止力が上記第１初期位置側回動阻止手段の回動阻止力より大きく設定され、
上記第２回動位置側回動阻止手段の回動阻止力が上記第１回動位置側回動阻止手段の回動阻止力より大きく設定され、
上記第１初期位置側停止手段の停止力が上記第２回動位置側回動阻止手段の回動阻止力より大きく設定されていることを特徴とする２軸ヒンジ装置。
【請求項２】
上記第１ヒンジが、上記第１固定部材と上記第１回動部材との間に配置され、上記第１固定部材に回動不能に、かつ上記第１回動軸線方向へ移動可能に連結された第１可動部材と、この第１可動部材を上記第１回動軸線に沿って上記第１回動部材側に付勢する第１付勢手段とをさらに有し、
上記第１回動部材と上記第１可動部材との対向面間には、上記第１回動部材が上記第１初期位置に位置しているときに上記第１可動部材に作用する上記第１付勢手段の付勢力を、上記第１回動部材を上記第１回動位置側から上記第１初期位置側へ回動付勢する回動付勢力に変換する第１初期位置側変換手段と、上記第１回動部材が上記第１回動位置に位置しているときに上記第１可動部材に作用する上記第１付勢手段の付勢力を、上記第１回動部材を上記第１初期位置側から上記第１回動位置側へ回動付勢する回動付勢力に変換する第１回動位置側変換手段と、上記第１初期位置側停止手段とが設けられ、
上記第１初期位置側変換手段と上記第１付勢手段とによって上記第１初期位置側回動阻止手段が構成され、上記第１回動位置側変換手段と上記第１付勢手段とによって上記第１回動位置側回動阻止手段が構成され、上記第１初期位置側変換手段によって回動付勢された上記第１回動部材が上記第１初期位置側停止手段によって上記第１初期位置に停止させられ、
上記第２ヒンジが、上記第２固定部材と上記第２回動部材との間に配置され、上記第２固定部材に回動不能に、かつ上記第２回動軸線方向へ移動可能に連結された第２可動部材と、この第２可動部材を上記第２回動軸線に沿って上記第２回動部材側に付勢する第２付勢手段とをさらに有し、
上記第２回動部材と上記第２可動部材との対向面間には、上記第２回動部材が上記第２初期位置に位置しているときに上記第２可動部材に作用する上記第２付勢手段の付勢力を、上記第２回動部材を上記第２回動位置側から上記第２初期位置側へ回動付勢する回動付勢力に変換する第２初期位置側変換手段と、上記第２回動部材が上記第２回動位置に位置しているときに上記第２可動部材に作用する上記第２付勢手段の付勢力を、上記第２回動部材を上記第２初期位置側から上記第２回動位置側へ回動付勢する回動付勢力に変換する第２回動位置側変換手段と、上記第２初期位置側停止手段及び上記第２回動位置側停止手段とが設けられ、
上記第２初期位置側変換手段と上記第２付勢手段とによって上記第２初期位置側回動阻止手段が構成され、上記第２回動位置側変換手段と上記第２付勢手段とによって上記第２回動位置側回動阻止手段が構成され、上記第２回動位置側変換手段によって回動付勢された上記第２回動部材が上記第２回動位置側停止手段によって上記第２回動位置に停止させられることを特徴とする請求項１に記載の２軸ヒンジ装置。
【請求項３】
ヒンジ本体と、このヒンジ本体に軸線を第１回動軸線と一致させて設けられた第１ヒンジと、上記ヒンジ本体に軸線を上記第１回動軸線と平行な第２回動軸線と一致させて設けられた第２ヒンジとを備えた２軸ヒンジ装置において、
上記第１ヒンジが、上記ヒンジ本体に回動不能に設けられた第１固定部材と、この第１固定部材に第１初期位置と第１回動位置との間を回動可能に連結された第１回動部材と、上記第１固定部材と上記第１回動部材との間にそれぞれ設けられ、上記第１回動部材が上記第１初期位置から上記第１回動位置側へ回動するのを所定の大きさの力で阻止する第１初期位置側回動阻止手段、上記第１回動部材が上記第１回動位置から上記第１初期位置側へ回動するのを所定の大きさの力で阻止する第１回動位置側回動阻止手段、上記第１回動位置側から上記第１初期位置側へ回動する上記第１回動部材を上記第１初期位置に所定の大きさの力で停止させる第１初期位置側停止手段、及び上記第１初期位置側から上記第１回動位置側へ回動する上記第１回動部材を上記第１回動位置に所定の大きさの力で停止させる上記第１回動位置側停止手段とを有し、
上記第２ヒンジが、上記ヒンジ本体に回動不能に設けられた第２固定部材と、この第２固定部材に第２初期位置と第２回動位置との間を回動可能に連結された第２回動部材と、上記第２固定部材と上記第２回動部材との間にそれぞれ設けられ、上記第２回動部材が上記第２初期位置から上記第２回動位置側へ回動するのを所定の大きさの力で阻止する第２初期位置側回動阻止手段、及び上記第２回動部材が上記第２回動位置から上記第２初期位置側へ回動するのを所定の大きさの力で阻止する第２回動位置側回動阻止手段とを有し、
上記第１初期位置側から上記第１回動位置側へ向かう回動方向と、上記第２初期位置側から上記第２回動位置側へ向かう回動方向とが同一方向に設定され、
上記第１初期位置側回動阻止手段の回動阻止力が上記第２初期位置側回動阻止手段の回動阻止力より小さく設定され、
上記第１回動位置側停止手段の停止力が上記第２初期位置側回動阻止手段の回動阻止力より大きく設定され、
上記第２回動位置側回動阻止手段の回動阻止力が上記第１回動位置側回動阻止手段の回動阻止力より大きく設定され、
上記第１初期位置側停止手段の停止力が上記第２回動位置側回動阻止手段の回動阻止力より大きく設定されていることを特徴とする２軸ヒンジ装置。
【請求項４】
上記第１ヒンジが、上記第１固定部材と上記第１回動部材との間に配置され、上記第１固定部材に回動不能に、かつ上記第１回動軸線方向へ移動可能に連結された第１可動部材と、この第１可動部材を上記第１回動軸線に沿って上記第１回動部材側に付勢する第１付勢手段とをさらに有し、
上記第１回動部材と上記第１可動部材との対向面間には、上記第１回動部材が上記第１初期位置に位置しているときに上記第１可動部材に作用する上記第１付勢手段の付勢力を、上記第１回動部材を上記第１回動位置側から上記第１初期位置側へ回動付勢する回動付勢力に変換する第１初期位置側変換手段と、上記第１回動部材が上記第１回動位置に位置しているときに上記第１可動部材に作用する上記第１付勢手段の付勢力を、上記第１回動部材を上記第１初期位置側から上記第１回動位置側へ回動付勢する回動付勢力に変換する第１回動位置側変換手段と、上記第１初期位置側停止手段及び上記第１回動位置停止手段とが設けられ、
上記第１初期位置側変換手段と上記第１付勢手段とによって上記第１初期位置側回動阻止手段が構成され、上記第１回動位置側変換手段と上記第１付勢手段とによって上記第１回動位置側回動阻止手段が構成され、上記第１初期位置側変換手段によって回動付勢された上記第１回動部材が上記第１初期位置側停止手段によって上記第１初期位置に停止させられ、上記第１回動位置側変換手段によって回動付勢された上記第１回動部材が上記第１回動位置側停止手段によって上記第１回動位置に停止させられ、
上記第２ヒンジが、上記第２固定部材と上記第２回動部材との間に配置され、上記第２固定部材に回動不能に、かつ上記第２回動軸線方向へ移動可能に連結された第２可動部材と、この第２可動部材を上記第２回動軸線に沿って上記第２回動部材側に付勢する第２付勢手段とをさらに有し、
上記第２回動部材と上記第２可動部材との対向面間には、上記第２回動部材が上記第２初期位置に位置しているときに上記第２可動部材に作用する上記第２付勢手段の付勢力を、上記第２回動部材を上記第２回動位置側から上記第２初期位置側へ回動付勢する回動付勢力に変換する第２初期位置側変換手段と、上記第２回動部材が上記第２回動位置に位置しているときに上記第２可動部材に作用する上記第２付勢手段の付勢力を、上記第２回動部材を上記第２初期位置側から上記第２回動位置側へ回動付勢する回動付勢力に変換する第２回動位置側変換手段とが設けられ、
上記第２初期位置側変換手段と上記第２付勢手段とによって上記第２初期位置側回動阻止手段が構成され、上記第２回動位置側変換手段と上記第２付勢手段とによって上記第２回動位置側回動阻止手段が構成されていることを特徴とする請求項３に記載の２軸ヒンジ装置。
【請求項５】
ヒンジ本体と、このヒンジ本体に軸線を第１回動軸線と一致させて設けられた第１ヒンジと、上記ヒンジ本体に軸線を上記第１回動軸線と平行な第２回動軸線と一致させて設けられた第２ヒンジとを備えた２軸ヒンジ装置において、
上記第１ヒンジが、上記ヒンジ本体に回動不能に設けられた第１固定部材と、この第１固定部材に第１初期位置と第１回動位置との間を回動可能に連結された第１回動部材と、上記第１固定部材と上記第１回動部材との間にそれぞれ設けられ、上記第１回動部材が上記第１初期位置から上記第１回動位置側へ回動するのを所定の大きさの力で阻止する第１初期位置側回動阻止手段、及び上記第１回動部材が上記第１回動位置から上記第１初期位置側へ回動するのを所定の大きさの力で阻止する第１回動位置側回動阻止手段とを有し、
上記第２ヒンジが、上記ヒンジ本体に回動不能に設けられた第２固定部材と、この第２固定部材に第２初期位置と第２回動位置との間を回動可能に連結された第２回動部材と、上記第２固定部材と上記第２回動部材との間にそれぞれ設けられ、上記第２回動部材が上記第２初期位置から上記第２回動位置側へ回動するのを所定の大きさの力で阻止する第２初期位置側回動阻止手段、上記第２回動部材が上記第２回動位置から上記第２初期位置側へ回動するのを所定の大きさの力で阻止する第２回動位置側回動阻止手段、上記第２回動位置側から上記第２初期位置側へ回動する上記第２回動部材を上記第２初期位置に所定の大きさの力で停止させる第２初期位置側停止手段、及び上記第２初期位置側から上記第２回動位置側へ回動する上記第２回動部材を上記第２回動位置に所定の大きさの力で停止させる第２回動位置側停止手段とを有し、
上記第１初期位置側から上記第１回動位置側へ向かう回動方向と、上記第２初期位置側から上記第２回動位置側へ向かう回動方向とが同一方向に設定され、
上記第１初期位置側回動阻止手段の回動阻止力が上記第２初期位置側回動阻止手段の回動阻止力より大きく設定され、
上記第２回動位置側停止手段の停止力が上記第１初期位置側回動阻止手段の回動阻止力より大きく設定され、
上記第１回動位置側回動阻止手段の回動阻止力が上記第２回動位置側回動阻止手段の回動阻止力より大きく設定され、
上記第１回動位置側回動阻止手段の回動阻止力が上記第２初期位置側停止手段の停止力より小さく設定されていることを特徴とする２軸ヒンジ装置。
【請求項６】
上記第１ヒンジが、上記第１固定部材と上記第１回動部材との間に配置され、上記第１固定部材に回動不能に、かつ上記第１回動軸線方向へ移動可能に連結された第１可動部材と、この第１可動部材を上記第１回動軸線に沿って上記第１回動部材側に付勢する第１付勢手段とをさらに有し、
上記第１回動部材と上記第１可動部材との対向面間には、上記第１回動部材が上記第１初期位置に位置しているときに上記第１可動部材に作用する上記第１付勢手段の付勢力を、上記第１回動部材を上記第１回動位置側から上記第１初期位置側へ回動付勢する回動付勢力に変換する第１初期位置側変換手段と、上記第１回動部材が上記第１回動位置に位置しているときに上記第１可動部材に作用する上記第１付勢手段の付勢力を、上記第１回動部材を上記第１初期位置側から上記第１回動位置側へ回動付勢する回動付勢力に変換する第１回動位置側変換手段とが設けられ、
上記第１初期位置側変換手段と上記第１付勢手段とによって上記第１初期位置側回動阻止手段が構成され、上記第１回動位置側変換手段と上記第１付勢手段とによって上記第１回動位置側回動阻止手段が構成され、
上記第２ヒンジが、上記第２固定部材と上記第２回動部材との間に配置され、上記第２固定部材に回動不能に、かつ上記第２回動軸線方向へ移動可能に連結された第２可動部材と、この第２可動部材を上記第２回動軸線に沿って上記第２回動部材側に付勢する第２付勢手段とをさらに有し、
上記第２回動部材と上記第２可動部材との対向面間には、上記第２回動部材が上記第２初期位置に位置しているときに上記第２可動部材に作用する上記第２付勢手段の付勢力を、上記第２回動部材を上記第２回動位置側から上記第２初期位置側へ回動付勢する回動付勢力に変換する第２初期位置側変換手段と、上記第２回動部材が上記第２回動位置に位置しているときに上記第２可動部材に作用する上記第２付勢手段の付勢力を、上記第２回動部材を上記第２初期位置側から上記第２回動位置側へ回動付勢する回動付勢力に変換する第２回動位置側変換手段と、上記第２初期位置側停止手段及上記第２回動位置側停止手段とが設けられ、
上記第２初期位置側変換手段と上記第２付勢手段とによって上記第２初期位置側回動阻止手段が構成され、上記第２回動位置側変換手段と上記第２付勢手段とによって上記第２回動位置側回動阻止手段が構成され、上記第２初期位置側変換手段によって回動付勢された上記第２回動部材が上記第２初期位置側停止手段によって上記第２初期位置に停止させられ、上記第２回動位置側変換手段によって回動付勢された上記第２回動部材が上記第２回動位置側停止手段によって上記第２回動位置に停止させられることを特徴とする請求項５に記載の２軸ヒンジ装置。
【請求項７】
ヒンジ本体と、このヒンジ本体に軸線を第１回動軸線と一致させて設けられた第１ヒンジと、上記ヒンジ本体に軸線を上記第１回動軸線と平行な第２回動軸線と一致させて設けられた第２ヒンジとを備えた２軸ヒンジ装置において、
上記第１ヒンジが、上記ヒンジ本体に回動不能に設けられた第１固定部材と、この第１固定部材に第１初期位置と第１回動位置との間を回動可能に連結された第１回動部材と、上記第１固定部材と上記第１回動部材との間にそれぞれ設けられ、上記第１回動部材が上記第１初期位置から上記第１回動位置側へ回動するのを所定の大きさの力で阻止する第１初期位置側回動阻止手段、上記第１回動部材が上記第１回動位置から上記第１初期位置側へ回動するのを所定の大きさの力で阻止する第１回動位置側回動阻止手段、及び上記第１初期位置側から上記第１回動位置側へ回動する上記第１回動部材を上記第１回動位置に所定の大きさの力で停止させる第１回動位置側停止手段とを有し、
上記第２ヒンジが、上記ヒンジ本体に回動不能に設けられた第２固定部材と、この第２固定部材に第２初期位置と第２回動位置との間を回動可能に連結された第２回動部材と、上記第２固定部材と上記第２回動部材との間にそれぞれ設けられ、上記第２回動部材が上記第２初期位置から上記第２回動位置側へ回動するのを所定の大きさの力で阻止する第２初期位置側回動阻止手段、上記第２回動部材が上記第２回動位置から上記第２初期位置側へ回動するのを所定の大きさの力で阻止する第２回動位置側回動阻止手段、及び上記第２回動位置側から上記第２初期位置側へ回動する上記第２回動部材を上記第２初期位置に所定の大きさの力で停止させる第２初期位置側停止手段とを有し、
上記第１初期位置側から上記第１回動位置側へ向かう回動方向と、上記第２初期位置側から上記第２回動位置側へ向かう回動方向とが同一方向に設定され、
上記第１初期位置側回動阻止手段の回動阻止力が上記第２初期位置側回動阻止手段の回動阻止力より小さく設定され、
上記第１回動位置側停止手段の停止力が上記第２初期位置側回動阻止手段の回動阻止力より大きく設定され、
上記第１回動位置側回動阻止手段の回動阻止力が上記第２回動位置側回動阻止手段の回動阻止力より大きく設定され、
上記第１回動位置側回動阻止手段の回動阻止力が上記第２回初期位置側停止手段の停止力より小さく設定されていることを特徴とする２軸ヒンジ装置。
【請求項８】
上記第１ヒンジが、上記第１固定部材と上記第１回動部材との間に配置され、上記第１固定部材に回動不能に、かつ上記第１回動軸線方向へ移動可能に連結された第１可動部材と、この第１可動部材を上記第１回動軸線に沿って上記第１回動部材側に付勢する第１付勢手段とをさらに有し、
上記第１回動部材と上記第１可動部材との対向面間には、上記第１回動部材が上記第１初期位置に位置しているときに上記第１可動部材に作用する上記第１付勢手段の付勢力を、上記第１回動部材を上記第１回動位置側から上記第１初期位置側へ回動付勢する回動付勢力に変換する第１初期位置側変換手段と、上記第１回動部材が上記第１回動位置に位置しているときに上記第１可動部材に作用する上記第１付勢手段の付勢力を、上記第１回動部材を上記第１初期位置側から上記第１回動位置側へ回動付勢する回動付勢力に変換する第１回動位置側変換手段と、上記第１回動位置側停止手段とが設けられ、
上記第１初期位置側変換手段と上記第１付勢手段とによって上記第１初期位置側回動阻止手段が構成され、上記第１回動位置側変換手段と上記第１付勢手段とによって上記第１回動位置側回動阻止手段が構成され、上記第１回動位置側変換手段によって回動付勢された上記第１回動部材が上記第１回動位置側停止手段によって上記第１回動位置に停止させられ、
上記第２ヒンジが、上記第２固定部材と上記第２回動部材との間に配置され、上記第２固定部材に回動不能に、かつ上記第２回動軸線方向へ移動可能に連結された第２可動部材と、この第２可動部材を上記第２回動軸線に沿って上記第２回動部材側に付勢する第２付勢手段とをさらに有し、
上記第２回動部材と上記第２可動部材との対向面間には、上記第２回動部材が上記第２初期位置に位置しているときに上記第２可動部材に作用する上記第２付勢手段の付勢力を、上記第２回動部材を上記第２回動位置側から上記第２初期位置側へ回動付勢する回動付勢力に変換する第２初期位置側変換手段と、上記第２回動部材が上記第２回動位置に位置しているときに上記第２可動部材に作用する上記第２付勢手段の付勢力を、上記第２回動部材を上記第２初期位置側から上記第２回動位置側へ回動付勢する回動付勢力に変換する第２回動位置側変換手段と、上記第２初期位置側停止手段とが設けられ、
上記第２初期位置側変換手段と上記第２付勢手段とによって上記第２初期位置側回動阻止手段が構成され、上記第２回動位置側変換手段と上記第２付勢手段とによって上記第２回動位置側回動阻止手段が構成され、上記第２初期位置側変換手段によって回動付勢された上記第２回動部材が上記第２初期位置側停止手段によって上記第２初期位置に停止させられることを特徴とする請求項７に記載の２軸ヒンジ装置。
【請求項９】
第１ケースと、第２ケースと、請求項１〜８のいずれかに記載の２軸ヒンジ装置とを備え、
上記第１ケースが上記２軸ヒンジ装置の第１ヒンジの第１回動部材に回動不能に連結され、
上記第２ケースが上記２軸ヒンジ装置の第２ヒンジの第２回動部材に回動不能に連結されていることを特徴とする携帯機器。
【発明の詳細な説明】
【技術分野】
【０００１】
この発明は、２軸ヒンジ装置及びその２軸ヒンジ装置が用いられた携帯電話機等の携帯機器に関する。
【背景技術】
【０００２】
一般に、２軸ヒンジ装置は、ヒンジ本体と、このヒンジ本体の一端部に設けられた第１ヒンジ軸と、ヒンジ本体の他端部に第１ヒンジ軸と平行に設けられた第２ヒンジ軸とを有している。このような２軸ヒンジ装置を用いて携帯電話機の送話ケースと受話ケースとを回動可能に連結する場合には、送話ケースの一端部をヒンジ本体に第１ヒンジ軸を介して回動可能に連結するとともに、受話ケースの一端部をヒンジ本体に第２ヒンジ軸を介して回動可能に連結する。これにより、送話ケースと受話ケースとが２軸ヒンジ装置を介して回動可能に連結される。
【特許文献１】実公平７―１５１８６号公報（第３頁、第１図）
【特許文献２】特開２００２−１１８６３３（第５頁、図９）
【発明の開示】
【発明が解決しようとする課題】
【０００３】
上記２軸ヒンジ装置が用いられた携帯電話機においては、送話ケース及び受話ケースとヒンジ本体とが第１、第２ヒンジ軸を介して単に回動可能に連結されているだけであるため、受話ケースを送話ケースに対して回動させるときに、受話ケースがヒンジ本体に対して回動するか、ヒンジ本体が送話ケースに対して回動するかが定まらない。つまり、ヒンジ本体と受話ケースとの回動順序が一定に定まっていない。このため、受話ケースを開閉回動させる毎にヒンジ本体と受話ケースとの回動順序が変わってしまい、使用者に違和感を抱かせるという問題があった。
【課題を解決するための手段】
【０００４】
上記の問題を解決するために、この発明の第１の態様は、ヒンジ本体と、このヒンジ本体に軸線を第１回動軸線と一致させて設けられた第１ヒンジと、上記ヒンジ本体に軸線を上記第１回動軸線と平行な第２回動軸線と一致させて設けられた第２ヒンジとを備えた２軸ヒンジ装置において、上記第１ヒンジが、上記ヒンジ本体に回動不能に設けられた第１固定部材と、この第１固定部材に第１初期位置と第１回動位置との間を回動可能に連結された第１回動部材と、上記第１固定部材と上記第１回動部材との間にそれぞれ設けられ、上記第１回動部材が上記第１初期位置から上記第１回動位置側へ回動するのを所定の大きさの力で阻止する第１初期位置側回動阻止手段、上記第１回動部材が上記第１回動位置から上記第１初期位置側へ回動するのを所定の大きさの力で阻止する第１回動位置側回動阻止手段、及び上記第１回動位置側から上記第１初期位置側へ回動する上記第１回動部材を上記第１初期位置に所定の大きさの力で停止させる第１初期位置側停止手段とを有し、
上記第２ヒンジが、上記ヒンジ本体に回動不能に設けられた第２固定部材と、この第２固定部材に第２初期位置と第２回動位置との間を回動可能に連結された第２回動部材と、上記第２固定部材と上記第２回動部材との間にそれぞれ設けられ、上記第２回動部材が上記第２初期位置から上記第２回動位置側へ回動するのを所定の大きさの力で阻止する第２初期位置側回動阻止手段、上記第２回動部材が上記第２回動位置から上記第２初期位置側へ回動するのを所定の大きさの力で阻止する第２回動位置側回動阻止手段、及び上記第２初期位置側から上記第２回動位置側へ回動する上記第２回動部材を上記第２回動位置に所定の大きさの力で停止させる第２回動位置側停止手段とを有し、上記第１初期位置側から上記第１回動位置側へ向かう回動方向と、上記第２初期位置側から上記第２回動位置側へ向かう回動方向とが同一方向に設定され、上記第１初期位置側回動阻止手段の回動阻止力が上記第２初期位置側回動阻止手段の回動阻止力より大きく設定され、上記第２回動位置側停止手段の停止力が上記第１初期位置側回動阻止手段の回動阻止力より大きく設定され、上記第２回動位置側回動阻止手段の回動阻止力が上記第１回動位置側回動阻止手段の回動阻止力より大きく設定され、上記第１初期位置側停止手段の停止力が上記第２回動位置側回動阻止手段の回動阻止力より大きく設定されていることを特徴としている。
この場合、上記第１ヒンジが、上記第１固定部材と上記第１回動部材との間に配置され、上記第１固定部材に回動不能に、かつ上記第１回動軸線方向へ移動可能に連結された第１可動部材と、この第１可動部材を上記第１回動軸線に沿って上記第１回動部材側に付勢する第１付勢手段とをさらに有し、上記第１回動部材と上記第１可動部材との対向面間には、上記第１回動部材が上記第１初期位置に位置しているときに上記第１可動部材に作用する上記第１付勢手段の付勢力を、上記第１回動部材を上記第１回動位置側から上記第１初期位置側へ回動付勢する回動付勢力に変換する第１初期位置側変換手段と、上記第１回動部材が上記第１回動位置に位置しているときに上記第１可動部材に作用する上記第１付勢手段の付勢力を、上記第１回動部材を上記第１初期位置側から上記第１回動位置側へ回動付勢する回動付勢力に変換する第１回動位置側変換手段と、上記第１初期位置側停止手段とが設けられ、上記第１初期位置側変換手段と上記第１付勢手段とによって上記第１初期位置側回動阻止手段が構成され、上記第１回動位置側変換手段と上記第１付勢手段とによって上記第１回動位置側回動阻止手段が構成され、上記第１初期位置側変換手段によって回動付勢された上記第１回動部材が上記第１初期位置側停止手段によって上記第１初期位置に停止させられ、上記第２ヒンジが、上記第２固定部材と上記第２回動部材との間に配置され、上記第２固定部材に回動不能に、かつ上記第２回動軸線方向へ移動可能に連結された第２可動部材と、この第２可動部材を上記第２回動軸線に沿って上記第２回動部材側に付勢する第２付勢手段とをさらに有し、上記第２回動部材と上記第２可動部材との対向面間には、上記第２回動部材が上記第２初期位置に位置しているときに上記第２可動部材に作用する上記第２付勢手段の付勢力を、上記第２回動部材を上記第２回動位置側から上記第２初期位置側へ回動付勢する回動付勢力に変換する第２初期位置側変換手段と、上記第２回動部材が上記第２回動位置に位置しているときに上記第２可動部材に作用する上記第２付勢手段の付勢力を、上記第２回動部材を上記第２初期位置側から上記第２回動位置側へ回動付勢する回動付勢力に変換する第２回動位置側変換手段と、上記第２初期位置側停止手段及び上記第２回動位置側停止手段とが設けられ、上記第２初期位置側変換手段と上記第２付勢手段とによって上記第２初期位置側回動阻止手段が構成され、上記第２回動位置側変換手段と上記第２付勢手段とによって上記第２回動位置側回動阻止手段が構成され、上記第２回動位置側変換手段によって回動付勢された上記第２回動部材が上記第２回動位置側停止手段によって上記第２回動位置に停止させられることが望ましい。
この発明の第２の態様は、ヒンジ本体と、このヒンジ本体に軸線を第１回動軸線と一致させて設けられた第１ヒンジと、上記ヒンジ本体に軸線を上記第１回動軸線と平行な第２回動軸線と一致させて設けられた第２ヒンジとを備えた２軸ヒンジ装置において、上記第１ヒンジが、上記ヒンジ本体に回動不能に設けられた第１固定部材と、この第１固定部材に第１初期位置と第１回動位置との間を回動可能に連結された第１回動部材と、上記第１固定部材と上記第１回動部材との間にそれぞれ設けられ、上記第１回動部材が上記第１初期位置から上記第１回動位置側へ回動するのを所定の大きさの力で阻止する第１初期位置側回動阻止手段、上記第１回動部材が上記第１回動位置から上記第１初期位置側へ回動するのを所定の大きさの力で阻止する第１回動位置側回動阻止手段、上記第１回動位置側から上記第１初期位置側へ回動する上記第１回動部材を上記第１初期位置に所定の大きさの力で停止させる第１初期位置側停止手段、及び上記第１初期位置側から上記第１回動位置側へ回動する上記第１回動部材を上記第１回動位置に所定の大きさの力で停止させる上記第１回動位置側停止手段とを有し、上記第２ヒンジが、上記ヒンジ本体に回動不能に設けられた第２固定部材と、この第２固定部材に第２初期位置と第２回動位置との間を回動可能に連結された第２回動部材と、上記第２固定部材と上記第２回動部材との間にそれぞれ設けられ、上記第２回動部材が上記第２初期位置から上記第２回動位置側へ回動するのを所定の大きさの力で阻止する第２初期位置側回動阻止手段、及び上記第２回動部材が上記第２回動位置から上記第２初期位置側へ回動するのを所定の大きさの力で阻止する第２回動位置側回動阻止手段とを有し、上記第１初期位置側から上記第１回動位置側へ向かう回動方向と、上記第２初期位置側から上記第２回動位置側へ向かう回動方向とが同一方向に設定され、上記第１初期位置側回動阻止手段の回動阻止力が上記第２初期位置側回動阻止手段の回動阻止力より小さく設定され、上記第１回動位置側停止手段の停止力が上記第２初期位置側回動阻止手段の回動阻止力より大きく設定され、上記第２回動位置側回動阻止手段の回動阻止力が上記第１回動位置側回動阻止手段の回動阻止力より大きく設定され、上記第１初期位置側停止手段の停止力が上記第２回動位置側回動阻止手段の回動阻止力より大きく設定されていることを特徴としている。
この場合、上記第１ヒンジが、上記第１固定部材と上記第１回動部材との間に配置され、上記第１固定部材に回動不能に、かつ上記第１回動軸線方向へ移動可能に連結された第１可動部材と、この第１可動部材を上記第１回動軸線に沿って上記第１回動部材側に付勢する第１付勢手段とをさらに有し、上記第１回動部材と上記第１可動部材との対向面間には、上記第１回動部材が上記第１初期位置に位置しているときに上記第１可動部材に作用する上記第１付勢手段の付勢力を、上記第１回動部材を上記第１回動位置側から上記第１初期位置側へ回動付勢する回動付勢力に変換する第１初期位置側変換手段と、上記第１回動部材が上記第１回動位置に位置しているときに上記第１可動部材に作用する上記第１付勢手段の付勢力を、上記第１回動部材を上記第１初期位置側から上記第１回動位置側へ回動付勢する回動付勢力に変換する第１回動位置側変換手段と、上記第１初期位置側停止手段及び上記第１回動位置停止手段とが設けられ、上記第１初期位置側変換手段と上記第１付勢手段とによって上記第１初期位置側回動阻止手段が構成され、上記第１回動位置側変換手段と上記第１付勢手段とによって上記第１回動位置側回動阻止手段が構成され、上記第１初期位置側変換手段によって回動付勢された上記第１回動部材が上記第１初期位置側停止手段によって上記第１初期位置に停止させられ、上記第１回動位置側変換手段によって回動付勢された上記第１回動部材が上記第１回動位置側停止手段によって上記第１回動位置に停止させられ、上記第２ヒンジが、上記第２固定部材と上記第２回動部材との間に配置され、上記第２固定部材に回動不能に、かつ上記第２回動軸線方向へ移動可能に連結された第２可動部材と、この第２可動部材を上記第２回動軸線に沿って上記第２回動部材側に付勢する第２付勢手段とをさらに有し、上記第２回動部材と上記第２可動部材との対向面間には、上記第２回動部材が上記第２初期位置に位置しているときに上記第２可動部材に作用する上記第２付勢手段の付勢力を、上記第２回動部材を上記第２回動位置側から上記第２初期位置側へ回動付勢する回動付勢力に変換する第２初期位置側変換手段と、上記第２回動部材が上記第２回動位置に位置しているときに上記第２可動部材に作用する上記第２付勢手段の付勢力を、上記第２回動部材を上記第２初期位置側から上記第２回動位置側へ回動付勢する回動付勢力に変換する第２回動位置側変換手段とが設けられ、上記第２初期位置側変換手段と上記第２付勢手段とによって上記第２初期位置側回動阻止手段が構成され、上記第２回動位置側変換手段と上記第２付勢手段とによって上記第２回動位置側回動阻止手段が構成されていることが望ましい。
この発明の第３の態様は、ヒンジ本体と、このヒンジ本体に軸線を第１回動軸線と一致させて設けられた第１ヒンジと、上記ヒンジ本体に軸線を上記第１回動軸線と平行な第２回動軸線と一致させて設けられた第２ヒンジとを備えた２軸ヒンジ装置において、上記第１ヒンジが、上記ヒンジ本体に回動不能に設けられた第１固定部材と、この第１固定部材に第１初期位置と第１回動位置との間を回動可能に連結された第１回動部材と、上記第１固定部材と上記第１回動部材との間にそれぞれ設けられ、上記第１回動部材が上記第１初期位置から上記第１回動位置側へ回動するのを所定の大きさの力で阻止する第１初期位置側回動阻止手段、及び上記第１回動部材が上記第１回動位置から上記第１初期位置側へ回動するのを所定の大きさの力で阻止する第１回動位置側回動阻止手段とを有し、上記第２ヒンジが、上記ヒンジ本体に回動不能に設けられた第２固定部材と、この第２固定部材に第２初期位置と第２回動位置との間を回動可能に連結された第２回動部材と、上記第２固定部材と上記第２回動部材との間にそれぞれ設けられ、上記第２回動部材が上記第２初期位置から上記第２回動位置側へ回動するのを所定の大きさの力で阻止する第２初期位置側回動阻止手段、上記第２回動部材が上記第２回動位置から上記第２初期位置側へ回動するのを所定の大きさの力で阻止する第２回動位置側回動阻止手段、上記第２回動位置側から上記第２初期位置側へ回動する上記第２回動部材を上記第２初期位置に所定の大きさの力で停止させる第２初期位置側停止手段、及び上記第２初期位置側から上記第２回動位置側へ回動する上記第２回動部材を上記第２回動位置に所定の大きさの力で停止させる第２回動位置側停止手段とを有し、上記第１初期位置側から上記第１回動位置側へ向かう回動方向と、上記第２初期位置側から上記第２回動位置側へ向かう回動方向とが同一方向に設定され、上記第１初期位置側回動阻止手段の回動阻止力が上記第２初期位置側回動阻止手段の回動阻止力より大きく設定され、上記第２回動位置側停止手段の停止力が上記第１初期位置側回動阻止手段の回動阻止力より大きく設定され、上記第１回動位置側回動阻止手段の回動阻止力が上記第２回動位置側回動阻止手段の回動阻止力より大きく設定され、上記第１回動位置側回動阻止手段の回動阻止力が上記第２初期位置側停止手段の停止力より小さく設定されていることを特徴としている。
この場合、上記第１ヒンジが、上記第１固定部材と上記第１回動部材との間に配置され、上記第１固定部材に回動不能に、かつ上記第１回動軸線方向へ移動可能に連結された第１可動部材と、この第１可動部材を上記第１回動軸線に沿って上記第１回動部材側に付勢する第１付勢手段とをさらに有し、上記第１回動部材と上記第１可動部材との対向面間には、上記第１回動部材が上記第１初期位置に位置しているときに上記第１可動部材に作用する上記第１付勢手段の付勢力を、上記第１回動部材を上記第１回動位置側から上記第１初期位置側へ回動付勢する回動付勢力に変換する第１初期位置側変換手段と、上記第１回動部材が上記第１回動位置に位置しているときに上記第１可動部材に作用する上記第１付勢手段の付勢力を、上記第１回動部材を上記第１初期位置側から上記第１回動位置側へ回動付勢する回動付勢力に変換する第１回動位置側変換手段とが設けられ、上記第１初期位置側変換手段と上記第１付勢手段とによって上記第１初期位置側回動阻止手段が構成され、上記第１回動位置側変換手段と上記第１付勢手段とによって上記第１回動位置側回動阻止手段が構成され、上記第２ヒンジが、上記第２固定部材と上記第２回動部材との間に配置され、上記第２固定部材に回動不能に、かつ上記第２回動軸線方向へ移動可能に連結された第２可動部材と、この第２可動部材を上記第２回動軸線に沿って上記第２回動部材側に付勢する第２付勢手段とをさらに有し、上記第２回動部材と上記第２可動部材との対向面間には、上記第２回動部材が上記第２初期位置に位置しているときに上記第２可動部材に作用する上記第２付勢手段の付勢力を、上記第２回動部材を上記第２回動位置側から上記第２初期位置側へ回動付勢する回動付勢力に変換する第２初期位置側変換手段と、上記第２回動部材が上記第２回動位置に位置しているときに上記第２可動部材に作用する上記第２付勢手段の付勢力を、上記第２回動部材を上記第２初期位置側から上記第２回動位置側へ回動付勢する回動付勢力に変換する第２回動位置側変換手段と、上記第２初期位置側停止手段及上記第２回動位置側停止手段とが設けられ、上記第２初期位置側変換手段と上記第２付勢手段とによって上記第２初期位置側回動阻止手段が構成され、上記第２回動位置側変換手段と上記第２付勢手段とによって上記第２回動位置側回動阻止手段が構成され、上記第２初期位置側変換手段によって回動付勢された上記第２回動部材が上記第２初期位置側停止手段によって上記第２初期位置に停止させられ、上記第２回動位置側変換手段によって回動付勢された上記第２回動部材が上記第２回動位置側停止手段によって上記第２回動位置に停止させられることが望ましい。
この発明の第４の態様は、ヒンジ本体と、このヒンジ本体に軸線を第１回動軸線と一致させて設けられた第１ヒンジと、上記ヒンジ本体に軸線を上記第１回動軸線と平行な第２回動軸線と一致させて設けられた第２ヒンジとを備えた２軸ヒンジ装置において、上記第１ヒンジが、上記ヒンジ本体に回動不能に設けられた第１固定部材と、この第１固定部材に第１初期位置と第１回動位置との間を回動可能に連結された第１回動部材と、上記第１固定部材と上記第１回動部材との間にそれぞれ設けられ、上記第１回動部材が上記第１初期位置から上記第１回動位置側へ回動するのを所定の大きさの力で阻止する第１初期位置側回動阻止手段、上記第１回動部材が上記第１回動位置から上記第１初期位置側へ回動するのを所定の大きさの力で阻止する第１回動位置側回動阻止手段、及び上記第１初期位置側から上記第１回動位置側へ回動する上記第１回動部材を上記第１回動位置に所定の大きさの力で停止させる第１回動位置側停止手段とを有し、上記第２ヒンジが、上記ヒンジ本体に回動不能に設けられた第２固定部材と、この第２固定部材に第２初期位置と第２回動位置との間を回動可能に連結された第２回動部材と、上記第２固定部材と上記第２回動部材との間にそれぞれ設けられ、上記第２回動部材が上記第２初期位置から上記第２回動位置側へ回動するのを所定の大きさの力で阻止する第２初期位置側回動阻止手段、上記第２回動部材が上記第２回動位置から上記第２初期位置側へ回動するのを所定の大きさの力で阻止する第２回動位置側回動阻止手段、及び上記第２回動位置側から上記第２初期位置側へ回動する上記第２回動部材を上記第２初期位置に所定の大きさの力で停止させる第２初期位置側停止手段とを有し、上記第１初期位置側から上記第１回動位置側へ向かう回動方向と、上記第２初期位置側から上記第２回動位置側へ向かう回動方向とが同一方向に設定され、上記第１初期位置側回動阻止手段の回動阻止力が上記第２初期位置側回動阻止手段の回動阻止力より小さく設定され、上記第１回動位置側停止手段の停止力が上記第２初期位置側回動阻止手段の回動阻止力より大きく設定され、上記第１回動位置側回動阻止手段の回動阻止力が上記第２回動位置側回動阻止手段の回動阻止力より大きく設定され、上記第１回動位置側回動阻止手段の回動阻止力が上記第２回初期位置側停止手段の停止力より小さく設定されていることを特徴としている。
この場合、上記第１ヒンジが、上記第１固定部材と上記第１回動部材との間に配置され、上記第１固定部材に回動不能に、かつ上記第１回動軸線方向へ移動可能に連結された第１可動部材と、この第１可動部材を上記第１回動軸線に沿って上記第１回動部材側に付勢する第１付勢手段とをさらに有し、上記第１回動部材と上記第１可動部材との対向面間には、上記第１回動部材が上記第１初期位置に位置しているときに上記第１可動部材に作用する上記第１付勢手段の付勢力を、上記第１回動部材を上記第１回動位置側から上記第１初期位置側へ回動付勢する回動付勢力に変換する第１初期位置側変換手段と、上記第１回動部材が上記第１回動位置に位置しているときに上記第１可動部材に作用する上記第１付勢手段の付勢力を、上記第１回動部材を上記第１初期位置側から上記第１回動位置側へ回動付勢する回動付勢力に変換する第１回動位置側変換手段と、上記第１回動位置側停止手段とが設けられ、上記第１初期位置側変換手段と上記第１付勢手段とによって上記第１初期位置側回動阻止手段が構成され、上記第１回動位置側変換手段と上記第１付勢手段とによって上記第１回動位置側回動阻止手段が構成され、上記第１回動位置側変換手段によって回動付勢された上記第１回動部材が上記第１回動位置側停止手段によって上記第１回動位置に停止させられ、上記第２ヒンジが、上記第２固定部材と上記第２回動部材との間に配置され、上記第２固定部材に回動不能に、かつ上記第２回動軸線方向へ移動可能に連結された第２可動部材と、この第２可動部材を上記第２回動軸線に沿って上記第２回動部材側に付勢する第２付勢手段とをさらに有し、上記第２回動部材と上記第２可動部材との対向面間には、上記第２回動部材が上記第２初期位置に位置しているときに上記第２可動部材に作用する上記第２付勢手段の付勢力を、上記第２回動部材を上記第２回動位置側から上記第２初期位置側へ回動付勢する回動付勢力に変換する第２初期位置側変換手段と、上記第２回動部材が上記第２回動位置に位置しているときに上記第２可動部材に作用する上記第２付勢手段の付勢力を、上記第２回動部材を上記第２初期位置側から上記第２回動位置側へ回動付勢する回動付勢力に変換する第２回動位置側変換手段と、上記第２初期位置側停止手段とが設けられ、上記第２初期位置側変換手段と上記第２付勢手段とによって上記第２初期位置側回動阻止手段が構成され、上記第２回動位置側変換手段と上記第２付勢手段とによって上記第２回動位置側回動阻止手段が構成され、上記第２初期位置側変換手段によって回動付勢された上記第２回動部材が上記第２初期位置側停止手段によって上記第２初期位置に停止させられることが望ましい。
この発明の第５の態様は、第１ケースと、第２ケースと、請求項１〜８のいずれかに記載の２軸ヒンジ装置とを備え、
上記第１ケースが上記２軸ヒンジ装置の第１ヒンジの第１回動部材に回動不能に連結され、
上記第２ケースが上記２軸ヒンジ装置の第２ヒンジの第２回動部材に回動不能に連結されていることを特徴としている。
【発明の効果】
【０００５】
上記構成を有するこの発明の第１〜第５の態様によれば、第１ヒンジの第１回動部材に第１ケースを回動不能に取り付けるとともに、第２ヒンジの第２回動部材に第２ケースを回動不能に取り付けることにより、第１ケースと第２ケースと所定の順序で回動させることができるという効果が得られる。
【発明を実施するための最良の形態】
【０００６】
以下、この発明を実施するための最良の形態を、図１〜図１８を参照して説明する。
図１〜図３は、この発明に係る携帯電話機１の第１実施の形態を示すものである。携帯電話機１は、各種の操作ボタン２１及びマイクロフォン（図示せず）等が設けられた送話ケース（第１ケース）２と、液晶表示部３１及びスピーカー（図示せず）等が設けられた受話ケース（第２ケース）３と、送話ケース２と受話ケース３との一端部どうしを回動可能に連結するヒンジ装置４とを有している。
【０００７】
送話ケース２と受話ケース３とは、それぞれの前面２ａ，３ａどうし極く僅かだけ離間した図１に示す折畳位置と、図２に示す中間位置を経て、前面２ａ，３ａが所定の角度（この実施の形態では１６０°）だけ離間した図３に示す通話位置（展開位置）との間を回動可能になっている。ただし、実際には、送話ケース２と受話ケース３との間に所定の大きさを越える力を加えることにより、通話位置側から折畳位置側へ向かう方向へは、前面２ａ，３ａが互いに突き当たるまでの微小角度だけ折畳位置を越えてさらに回動可能であり、折畳位置側から通話位置側へ向かう方向へは、送話ケース２と受話ケース３との一端部どうしが互いに突き当たるまでの微小角度だけ通話位置を越えてさらに回動可能である。なお、送話ケース２と受話ケース３とは互いに相対回動可能であるが、以下においては、説明の便宜上、送話ケース２を位置固定し、受話ケース３が送話ケース２に対して回動するものとする。
【０００８】
図１〜図４に示すように、送話ケース２は、下ケース半体２Ａと上ケース半体２Ｂとを有している。下ケース半体２Ａと上ケース半体２Ｂとは、いずれも厚さが薄い直方体状をなしており、その厚さ方向を上下方向に向けて配置されている。下ケース半体２Ａの上ケース半体２Ｂと対向する上面の長手方向における一端部（受話ケース３側の端部）には、下ケース半体２Ａの短手方向に延びる凹部２ｂが形成されている。凹部２ｂは、断面半円状に形成されている。下ケース半体２Ａの上面の凹部２ｂの両端部に隣接する各箇所には、係合凹部２ｃがそれぞれ形成されている。この係合凹部２ｃは、凹部２ｂの長手方向の端部に連通している。上ケース半体２Ｂの一端部には、上ケース半体２Ｂの短手方向に延びる切欠き部２ｄが形成されている。上ケース半体２Ｂの下面の切欠き部２ｄの両端部に隣接する箇所には、係合凹部２ｅが形成されている。係合凹部２ｅは、切欠き部２ｄに連通している。
【０００９】
下ケース半体２Ａと上ケース半体２Ｂとは、前者の上面と後者の下面とが互いに突き合わせされた状態で固定されている。それによって、送話ケース２が構成されている。その結果、図６〜図９に示すように、送話ケース２の一端部（受話ケース３側の端部）には、凹部２ｂと切欠き部２ｄとからなる収容凹部２ｆが形成されるとともに、係合凹部２ｃ及び係合凹部２ｅからなる係合孔２ｇが形成されている。係合孔２ｇは、収容凹部２ｆの両端面からその長手方向外側へ向かって延びている。
【００１０】
受話ケース３は、折畳位置に回動したときに上側に位置する上ケース半体３Ａと、下側に位置する下ケース半体３Ｂとを有している。上ケース半体３Ａと下ケース半体３Ｂとは、いずれも厚さが薄い直方体状をなしており、受話ケース３が折畳位置に位置したとき、それぞれの厚さ方向が上下方向を向くように配置されている。上ケース半体３Ａの下ケース半体３Ｂと対向する下面の長手方向における一端部（送話ケース２側の端部）には、上ース半体３Ａの短手方向に延びる凹部３ｂが形成されている。凹部３ｂは、断面半円状に形成されている。上ケース半体３Ａの上面の凹部３ｂの両端部に隣接する各箇所には、係合凹部３ｃがそれぞれ形成されている。この係合凹部３ｃは、凹部３ｂの長手方向の端部に連通している。下ケース半体３Ｂの一端部には、上ケース半体３Ｂの短手方向に延びる切欠き部３ｄが形成されている。下ケース半体３Ｂの上面の切欠き部２ｄの両端部に隣接する箇所には、係合凹部３ｅが形成されている。係合凹部３ｅは、切欠き部３ｄの両端部に連通している。
【００１１】
上ケース半体３Ａと下ケース半体３Ｂとは、前者の下面と後者の上面とが互いに突き合わされた状態で固定されている。それによって、受話ケース３が構成されている。その結果、図６〜図９に示すように、受話ケース３の一端部（送話ケース２側の端部）には、凹部３ｂと切欠き部３ｄとからなる収容凹部３ｆが形成されるとともに、係合凹部３ｃ及び係合凹部３ｅからなる係合孔３ｇが形成されている。係合孔３ｇは、収容凹部３ｆの両端面からその長手方向外側へ向かって延びている。
【００１２】
ヒンジ装置４は、図４及び図６に示すように、ヒンジ本体５と、一対の下ヒンジ（第１ヒンジ）６Ａ，６Ｂと、一対の上ヒンジ（第２ヒンジ）７Ａ，７Ｂとを有している。ヒンジ本体５は、厚さの薄い直方体状をなしており、長手方向を収容凹部２ｆ，３ｆの長手方向に向けて配置されている。ヒンジ本体５の短手方向の両側部は、断面半円状に形成されている。ヒンジ本体５の短手方向の一側部は、収容凹部２ｆに第１回動軸線Ｌ１を中心として回動可能に挿入されている。ヒンジ本体５の短手方向の他側部は、収容凹部３ｆに第１回動軸線Ｌ１と平行な第２回動軸線Ｌ２を中心として回動可能に挿入されている。
【００１３】
図５及び図６に示すように、第１、第２回動軸線Ｌ１，Ｌ２は、凹部２ｃ，３ｃの各軸線とそれぞれ一致するように配置されている。この結果、第１回動軸線Ｌ１は、上下のケース半体２Ａ，２Ｂの突き合わせ面上に位置し、第２回動軸線Ｌ２は、上下のケース半体３Ａ，３Ｂの突き合わせ面上に位置している。また、第２回動軸線Ｌ２は、送話ケース２及び受話ケース３他端側から一端側へ向かう方向において第１回動軸線Ｌ１より所定距離だけ前方側にずらして配置されている。すなわち、受話ケース３が図８に示す中間位置に回動したとき、第１、第２回動軸線Ｌ１，Ｌ２と直交する線が受話ケース３の半体３Ａ，３Ｂの突き合わせ面と接するように、ずらされているのである。第１、第２回動軸線Ｌ１，Ｌ２は、ケース２，３の長手方向において同一位置に配置してもよく、図５に示す場合と逆にずらしてもよい。
【００１４】
ヒンジ本体５の一側側における長手方向の両端面には、第１収容孔５ａがそれぞれ形成されている。第１収容孔５ａは、その軸線を第１回動軸線Ｌ１と一致させて配置されている。ヒンジ本体５の他側部における長手方向の両端面には、第２収容孔５ｂがそれぞれ形成されている。第２収容孔５ｂは、その軸線を第２回動軸線Ｌ２と一致させて配置されている。
【００１５】
二つの第１収容孔５ａ，５ａの一方には、下ヒンジ６Ａの一端部が挿入されている。この下ヒンジ６Ａの他端部は、一方の第１収容孔５ａと対向する係合孔２ｇに挿入されている。二つの第１収容孔５ａ，５ａの他方には、下ヒンジ６Ｂの一端部が挿入されている。この下ヒンジ６Ｂの他端部は、他方の収容孔５ａと対向する係合孔２ｇに挿入されている。これにより、ヒンジ本体５の短手方向における一側部が送話ケース２の一端部に一対の下ヒンジ６Ａ，６Ｂを介して回動可能に、それも第１回動軸線Ｌ１を中心として回動可能に連結されている。
【００１６】
二つの第２収容孔５ｂ，５ｂの一方には、上ヒンジ７Ａの一端部が挿入されている。この上ヒンジ７Ａの他端部は、一方の第２収容孔５ｂと対向する係合孔３ｇに挿入されている。二つの第２収容孔５ｂ，５ｂの他方には、上ヒンジ７Ｂの一端部が挿入されている。この上ヒンジ７Ｂの他端部は、他方の収容孔５ｂと対向する係合孔３ｇに挿入されている。これにより、ヒンジ本体５の短手方向における他側部が受話ケース３の一端部に一対の上ヒンジ７Ａ，７Ｂを介して回動可能に、それも第２回動軸線Ｌ２を中心として回動可能に連結されている。
【００１７】
ヒンジ本体５の一側部が下ヒンジ６Ａ，６Ｂを介して送話ケース２に回動可能に連結されるとともに、ヒンジ本体５の他側部が上ヒンジ７Ａ，７Ｂを介して回動可能に連結されることにより、受話ケース３が送話ケース２にヒンジ装置４を介して回動可能に連結されている。一対の下ヒンジ６Ａ，６Ｂのいずれか一方、及び一対の上ヒンジ７Ａ，７Ｂのいずれか一方については、単なる軸体を用い、ヒンジ本体５の一端部又は他端部を送話ケース２と受話ケース３とにそれぞれ軸体を介して回動可能に連結してもよい。
【００１８】
次に、上記下ヒンジ６Ａ，６ Ｂ及び上ヒンジ７Ａ，７Ｂについて説明するに、下ヒンジ６Ａ，６Ｂは左右対称に構成されており、上ヒンジ７Ａ，７Ｂも左右対称に構成されている。しかも、下ヒンジ６Ａと上ヒンジ７Ａとは、一部の構成を除いて基本構成が同一になっている。そこで、下ヒンジ６Ａの構成についてまず詳細に説明し、上ヒンジ７Ａについては下ヒンジ６Ａとの相違点だけを説明する。また、下ヒンジ６Ｂ及び上ヒンジ７Ｂについてはその説明を省略する。
【００１９】
図６及び図１０〜図１２に示すように、下ヒンジ６Ａは、第１固定部材６１、第１ヒンジ軸６２、第１回動部材６３、第１可動部材６４及び第１コイルばね（第１付勢手段）６５を有している。
【００２０】
第１固定部材６１は、円筒状をなしており、その一端部には底部６１ａが形成されている。この底部６１ａの中央部には、貫通孔６１ｂが形成されている。この貫通孔６１ｂには、第１ヒンジ軸６２が回動可能に挿通されている。第１ヒンジ軸６２の一端部には、頭部６２ａが形成されている。この頭部６２ａが第１固定部材６１の底部６１ａに突き当たることにより、第１固定部材６１が第１ヒンジ軸６２に対しその他端側から一端側へ向かう方向へ抜け止めされている。第１ヒンジ軸６２の他端部外周には、円筒状をなす第１回動部材６３が回動不能に嵌合されている。この結果、第１回動部材６３が第１固定部材６１に第１ヒンジ軸６２を介して回動可能に連結されている。第１回動部材６３は、第１ヒンジ軸６２の他端部を図１１において想像線で示すように加締めることにより、第１ヒンジ軸６２の一端側から他端側へ向かう方向へ抜け止めされている。
【００２１】
第１固定部材６１と第１回動部材６３との間に位置する第１ヒンジ軸６２の中間部には、第１可動部材６４が回動可能に、かつ第１ヒンジ軸６２の軸線方向へ移動可能に嵌合されている。この第１可動部材６４は、第１固定部材６１に回動不能に、かつ第１ヒンジ軸６２の軸線方向へ移動可能に連結されている。第１可動部材６４の第１回動部材６２との対向面には、一対の球体６６，６６がそれぞれの一部を第１回動部材６２側に突出させた状態で埋設されている。一対の球体６６，６６は、第１ヒンジ軸６２の軸線を中心とする円周上に周方向に１８０°離れて配置されている。球体６６に代えて、例えば球体６６の第１可動部材６４から突出した部分とほぼ同様な形状をなす突出部を第１可動部材６４に一体に形成してもよい。
【００２２】
第１固定部材６１の底部と第１可動部材６４との間には、第１コイルばね６５が設けられている。第１コイルばね６５は、第１可動部材６４を第１回動部材６３側へ向かって付勢することにより、一対の球体６６を第１回動部材６３の第１可動部材６４との対向面に押圧接触させている。この結果、第１回動部材６３が第１ヒンジ軸６２の一端側から他端側へ向かう方向へ付勢され、第１ヒンジ軸６２の他端部に設けられた加締め部に突き当てられている。また、第１コイルばね６５は、第１固定部材６１の底部６１ａを第１ヒンジ軸６２の頭部６２ａに突き当てている。この結果、第１固定部材６１、第１回動部材６３、第１可動部材６４及び第１コイルばね６５が第１ヒンジ軸６２を介してユニット化されている。
【００２３】
第１ヒンジ６Ａに関する上記構成は、第２ヒンジ７Ａについても同様であり、第２ヒンジ７Ａは、第１ヒンジ６Ａの第１固定部材６１、第１ヒンジ軸６２、第１回動部材６３、第１可動部材６４、第１コイルばね６５及び一対の球体６６，６６にそれぞれ対応する部材として、第２固定部材７１、第２ヒンジ軸７２、第２回動部材７３、第２可動部材７４、第２コイルばね（第２付勢手段）７５及び一対の球体７６，７６を有している。
【００２４】
第１ヒンジ６Ａ，６Ｂの第１固定部材６１は、第１収容孔５ａに回動不能に嵌合されている。したがって、第１固定部材６１は、ヒンジ本体５と一体に回動する。第１回動部材６３は、その略半分が第１収容孔５ａに回動可能に嵌合され、他の半分が送話ケース２の係合孔２ｇに回動不能に嵌合されている。したがって、送話ケース２とヒンジ本体５とは、実質的には第１回動部材６３を介して回動可能に連結されている。第１固定部材６１が第１収容孔５ａに嵌合されるとともに、第１回動部材６３が係合孔２ｇに嵌合された状態では、第１ヒンジ軸６２がその軸線を第１回動軸線Ｌ１と一致させている。したがって、送話ケース２とヒンジ本体５とは、第１回動軸線Ｌ１を中心として回動可能に連結されている。また、この実施の形態では、送話ケース２が回動しないものとされているので、第１回動部材６３が回動することがなく、ヒンジ本体５が送話ケース２に対して回動するときには、第１固定部材６１および第１可動部材６４が第１回動部材６３に対して回動する。
【００２５】
第２ヒンジ７Ａ，７Ｂの第２固定部材７１は、第２収容孔５ｂに回動不能に嵌合されている。また、第２回動部材７３は、その略半分が第２収容孔５ｂに回動可能に嵌合され、他の半分が送話ケース２の係合孔３ｇに回動不能に嵌合されている。したがって、送話ケース２とヒンジ本体５とは、実質的には第２回動部材７３を介して回動可能に連結されている。第２固定部材７１が第２収容孔５ｂに嵌合されるとともに、第２回動部材７３が係合孔３ｇに嵌合された状態では、第２ヒンジ軸７２がその軸線を第２回動軸線Ｌ２と一致させている。したがって、受話ケース３とヒンジ本体５とは、第２回動軸線Ｌ２を中心として回動可能に連結されている。なお、この実施の形態では、受話ケース３がヒンジ本体５に対して第２回動軸線Ｌ２を中心として回動することはあっても、ヒンジ本体５が受話ケース３に対して第２回動軸線Ｌ２を中心として回動することがない。したがって、受話ケース３が回動するときには、第２固定部材７１がケース本体５に位置固定され、第２回動部材７３が第２固定部材７１に対して回動する。
【００２６】
送話ケース３を図１に示す折畳位置から図２に示す中間位置を経て図３に示す通話位置まで回動させた後、通話位置から中間位置を経て折畳位置まで戻すときには、受話ケース３とヒンジ本体５とが所定の順序で回動する。すなわち、受話ケース３が折畳位置から中間位置まで回動する際には、ヒンジ本体５が図１に示す位置に停止した状態を維持する。このときのヒンジ本体５の位置が第１初期位置である。その一方、受話ケース３がヒンジ本体５に対し第２回動軸線Ｌ１を中心として図１に示す第２初期位置から図８に示す第２回動位置まで所定角度（この実施の形態では１００°）だけ回動する。これにより、受話ケース３が折畳位置から中間位置まで回動する。したがって、ヒンジ本体５が第１初期位置に位置しているときには、受話ケース３の折畳位置と第２初期位置とが同一位置になっており、中間位置と第２回動位置とが同一位置になっている。受話ケース３を中間位置から通話位置に向かってさらに回動させようとすると、受話ケース３がヒンジ本体５に対して停止状態を維持する一方、ヒンジ本体５が第１回動軸線Ｌ１を中心として第１初期位置から第１回動位置側へ向かって回動し始める。その結果、受話ケース３が中間位置から通話位置側へ回動する。そして、ヒンジ本体５が第１初期位置から所定角度（この実施の形態では６０°）だけ回動して図９に示す第１回動位置に達すると、ヒンジ本体５が停止する。このとき、受話ケース３が通話位置に達している。
【００２７】
受話ケース３を通話位置から中間位置まで回動させる場合には、当初、受話ケース３がヒンジ本体５に対し第２回動位置において停止状態を維持し、ヒンジ本体５が第１回動軸線Ｌ１を中心として第１回動位置から第１初期位置まで回動する。これにより、受話ケース３が通話位置から中間位置まで回動することになる。受話ケース３を中間位置から折畳位置まで回動させる際には、ヒンジ本体５が第１初期位置において停止状態を維持する一方、受話ケース３がヒンジ本体５に対し第２回動軸線Ｌ２を中心として第２回動位置から第２初期位置まで回動する。これにより、受話ケース３が中間位置から折畳位置まで回動する。
【００２８】
受話ケース３及びヒンジ本体５を上記の順序で回動させるために、図１４に示すように、第１回動部材６３の第１可動部材６４との対向面には、第１係合凹部６３Ａ，６３Ｂが二対形成され、第２回動部材７３の第２可動部材７４との対向面には、第２係合凹部７３Ａ，７３Ｂが二対形成されている。二対の第１係合凹部６３Ａ，６３Ｂは、一対の球体６６，６６が配置された円周と同一の円周上に配置されている。一方の一対の第１係合凹部６３Ａ，６３Ｂと他方の一対の第１係合凹部６３Ａ，６３Ｂとは、第１回動軸線Ｌ１を中心として対称に配置されている。つまり、周方向に１８０°離れて配置されている。第１係合凹部６３Ａ，６３Ｂは、周方向に所定角度（この実施の形態ではほぼ６０°）だけ離れて配置されている。一方、二対の第２係合凹部７３Ａ，７３Ｂは、一対の球体７６，７６が配置された円周と同一の円周上に配置されている。一方の一対の第２係合凹部７３Ａ，７３Ｂと他方の一対の第２係合凹部７３Ａ，７３Ｂとは、第２回動軸線Ｌ２を中心として対称に配置されている。つまり、周方向に１８０°離れて配置されている。第２係合凹部７３Ａ，７３Ｂは、周方向に所定の角度（この実施の形態ではほぼ１００°）だけ離れて配置されている。
【００２９】
図１５及び図１８に示すように、第１係合凹部６３Ａは、その中央部から第１回動軸線Ｌ１を中心とする周方向における両端縁へ向かって上り勾配をなす傾斜面６３ａ，６３ｂを有している。図１５に示すように、傾斜面６３ａ，６３ｂは、ヒンジ本体５が第１初期位置に位置しているときに、第１コイルばね６５によって付勢された球体６６が同時に押圧接触するように配置されている。これにより、ヒンジ本体５に力が作用しない限り、ヒンジ本体５が第１初期位置に維持されるようになっている。
【００３０】
第１係合凹部６３Ａの傾斜面６３ａは、第１コイルばね６５の付勢力を回動付勢力に変換する。この回動付勢力は、ヒンジ本体５が第１初期位置から第１回動位置側へ回動しようとし、その結果球体６６が第１固定部材６１及び第１可動部材６４を介して図１５の矢印Ｘ方向（第１回動軸線Ｌ１を中心とする周方向）へ移動しようとするときに、その移動を阻止し、それによってヒンジ本体５が第１初期位置から第１回動位置側へ回動するのを阻止しようとする回動阻止力として作用する。したがって、球体６６と傾斜面６３ａとによって第１初期位置側変換手段８Ａが構成され、第１初期位置側変換手段８Ａと第１コイルばね６５とによって第１初期位置側回動阻止手段９Ａが構成されている。
【００３１】
第１係合凹部６３Ａの傾斜面６３ｂは、第１コイルばね６５の付勢力を回動付勢力に変換する。この回動付勢力は、ヒンジ本体５が第１回動軸線Ｌ１を中心として第１回動位置側から第１初期位置側へ回動する場合において、第１初期位置を越えて回動しようとするときに、球体６６が図１５の矢印Ｙ方向へ移動するのを阻止し、それによってヒンジ本体５を第１初期位置に停止させる。したがって、第１コイルばね６５、球体６６及び傾斜面６３ｂによって第１初期位置側停止手段１０Ａが構成されている。
【００３２】
図１５及び図１８に示すように、係合凹部６３Ｂは、その中央部から第１回動軸線Ｌ１を中心とする周方向における両端縁へ向かって上り勾配をなす傾斜面６３ｃ，６３ｄを有している。図１８に示すように、傾斜面６３ｃ，６３ｄは、ヒンジ本体５が第１回動位置に位置しているときに、第１コイルばね６５によって付勢された球体６６が同時に押圧接触するように配置されている。これにより、ヒンジ本体５に力が作用しない限り、ヒンジ本体５が第１回動位置に維持されるようになっている。
【００３３】
第１係合凹部６３Ｂの傾斜面６３ｃは、第１コイルばね６５の付勢力を回動付勢力に変換する。この回動付勢力は、ヒンジ本体５が第１回動位置から第１初期位置側へ回動しようとし、その結果球体６６が図１８の矢印Ｙ方向へ移動しようとするときに、その移動を阻止し、それによってヒンジ本体５が第１回動位置から第１初期位置側へ回動するのを阻止しようとする回動阻止力として作用する。したがって、球体６６と傾斜面６３ｃとによって第１回動位置側変換手段８Ｂが構成され、第１回動位置側変換手段８Ｂと第１コイルばね６５とによって第１回動位置側回動阻止手段９Ｂが構成されている。
【００３４】
第１係合凹部６３Ｂの傾斜面６３ｄは、第１コイルばね６５の付勢力を回動付勢力に変換する。この回動付勢力は、ヒンジ本体５が第１回動軸線Ｌ１を中心として第１初期位置側から第１回動位置側へ回動する場合において、第１回動位置を越えて回動しようとするときに、球体６６が図５の矢印Ｘ方向へ移動するのを阻止し、それによってヒンジ本体５を第１回動位置に停止させる。第１コイルばね６５、球体６６及び傾斜面６３ｄによって第１回動位置側停止手段１０Ｂが構成されている。
【００３５】
図１６及び図１７に示すように、第２係合凹部７３Ａは、その中央部から第２回動軸線Ｌ２を中心とする周方向における両端縁に向かって上り勾配をなす傾斜面７３ａ，７３ｂを有している。図１６に示すように、傾斜面７３ａ，７３ｂは、受話ケース３が第２初期位置に位置しているときに、第２コイルばね７５によって付勢された球体７６が同時に押圧接触するように配置されている。これにより、受話部３に力が作用しない限り、受話部３が第２初期位置に維持されるようになっている。
【００３６】
第２係合凹部７３の傾斜面７３ａは、第２コイルばね７５の付勢力を回動付勢力に変換する。この回動付勢力は、受話ケース３が第２回動軸線Ｌ２を中心として第２初期位置から第２回動位置側へ回動しようとし、それに伴って第２回動部材７３が図１６のＸ方向へ回動しようとするときに、第２回動部材の７３回動を阻止し、それによって受話ケース３が第２初期位置から第２回動位置側へ回動するのを阻止しようとする回動阻止力として作用する。したがって、球体７６と傾斜面７３ａとによって第２初期位置側変換手段８Ｃが構成され、第２初期位置側変換手段８Ｃと第２コイルばね７５とによって第２初期位置側回動阻止手段９Ｃが構成されている。
【００３７】
第２係合凹部７３Ａの傾斜面７３ｂは、第２コイルばね７５の付勢力を回動付勢力に変換する。この回動付勢力は、受話ケース３が第２回動位置側から第２初期位置側へ向かう方向へ回動する場合において第２初期位置を越えて回動しようとするときに、受話ケース３の回動に伴って第２回動部材７３が図１６の矢印Ｙ方向へ回動するのを阻止し、それによって受話ケース３を第２初期位置に停止させる。したがって、第２コイルばね７５、傾斜面７３ｂ及び球体７６によって第２初期位置側停止手段１０Ｃが構成されている。
【００３８】
図１６及び図１７に示すように、第２係合凹部７３Ｂは、その中央部から第２回動軸線Ｌ２を中心とする周方向における両端縁に向かって上り勾配をなす傾斜面７３ｃ，７３ｄを有している。図１７に示すように、傾斜面７３ｃ，７３ｄは、受話ケース３が第２回動位置に位置しているときに、第２コイルばね７５によって付勢された球体７６が同時に押圧接触するように配置されている。これにより、受話部３に力が作用しない限り、受話部３が第２回動位置に維持されるようになっている。
【００３９】
第２係合凹部７３Ｂの傾斜面７３ｃは、第２コイルばね７５の付勢力を回動付勢力に変換する。この回動付勢力は、受話ケース３が第２回動軸線Ｌ２を中心として第２回動位置から第２初期位置側へ向かう方向へ回動しようとし、それに伴って第２回動部材７３が図１７の矢印Ｙ方向へ回動しようとするときに、その回動を阻止しようとし、それによって受話ケース３が第２回動位置から第２初期位置側へ回動しようとするのを阻止する回動阻止力として作用する。したがって、球体７６と傾斜面７３ｃとによって第２回動位置側変換手段８Ｄが構成され、第２初期位置側変換手段８Ｄと第２コイルばね７５とによって第２回動位置側回動阻止手段９Ｄが構成されている。
【００４０】
第２係合凹部７３Ｂの傾斜面７３ｄは、第２コイルばね７５の付勢力を回動付勢力に変換する。この回動付勢力は、受話ケース３が第２初期位置側から第２回動位置側へ向かう方向へ回動する場合において第２回動位置を越えて回動しようとするときに、それに伴って第２回動部材７３が図１７の矢印Ｘ方向へ回動するのを阻止し、それによって受話ケース３が第２回動位置を越えて回動するのを阻止して第２回動位置に停止させる。したがって、第２コイルばね７５、傾斜面７３ｄ及び球体７６によって第２初期位置側停止手段１０Ｄが構成されている。
【００４１】
次に、上記各手段８Ａ〜８Ｄ及び９Ａ〜９Ｄの回動阻止力及び停止力を比較するに、いま、受話ケース３が折畳位置に位置しているものとする。つまり、ヒンジ本体５が第１初期位置に位置し、受話ケース３が第２初期位置に位置しているものとする。受話ケース３を折畳位置から中間位置側へ回動させようとすると、第１初期位置回動阻止手段９Ａがヒンジ本体５の第１初期位置から第１回動位置側への回動を阻止しようとし、第２初期位置回動阻止手段９Ｃが受話ケース３の第２初期位置から第２回動位置側への回動を阻止しようとする。第１初期位置回動阻止手段９Ａの一部を構成する第１係合凹部６３Ａの傾斜面６３ａの傾斜角度をα１（図１５参照）とし、第２初期位置側回動阻止手段９Ｃの一部を構成する第２係合凹部７３Ａの傾斜面７３ａの傾斜角度をβ１（図１６参照）とすると、
α１＞β１
に設定されている。したがって、第１初期位置側回動阻止手段９Ａの回動阻止力と第２初期位置側回動阻止手段９Ｃの回動阻止力とを比較すると、前者が後者より大きくなっている。よって、折畳位置に位置している受話ケース３を中間位置側へ回動させようとすると、ヒンジ本体５がその位置を第１初期位置に維持する一方、受話ケース３が第２初期位置回動付勢手段９Ｃの回動付勢力に抗して第２初期位置から第２回動位置側へ回動する。
【００４２】
受話ケース３が中間位置に位置している場合、つまりヒンジ本体５が第１初期位置に位置し、かつ受話ケース３が第２回動位置に位置している場合において、受話ケース３を中間位置から通話位置側へ回動させるときには、第１初期位置側回動阻止手段９Ａがヒンジ本体５の第１初期位置から第１回動位置側への回動を阻止しようとし、第２回動位置停止手段１０Ｄが受話ケース３の第２回動位置を越える回動を阻止しようとする。第２回動位置停止手段１０Ｄの一部を構成する第２係合凹部７３Ｂの傾斜面７３ｄの傾斜角度をβ２（図１６参照）とすると、
α１＜β２
に設定されている。したがって、第１初期位置側回動阻止手段９Ａの回動阻止力と第２回動位置側停止手段１０Ｄの回動阻止力とを比較すると、後者が前より大きくなっている。よって、中間位置に位置している受話ケース３を通話位置側へ回動させるると、受話ケース３がヒンジ本体５に対し第２回動位置を越えて回動するのを阻止され、第２回動位置に停止させられた状態を維持する。一方、ヒンジ本体５が第１初期位置側回動阻止手段９Ａの回動阻止力に抗して第１初期位置から第１回動位置側へ回動する。
【００４３】
受話ケース３が通話位置に位置している場合には、受話ケース３がヒンジ本体５に対して第２回動位置に位置し、ヒンジ本体５が第２回動位置に位置している。その状態において、受話ケース３を通話位置から中間位置側へ回動させようとすると、第１回動位置側回動阻止手段９Ｂが球体６６の図１８における矢印Ｙ方向への移動を阻止し、ひいてはヒンジ本体５の第１回動位置から第１初期位置側へ回動を阻止しようとする。これと同時に、第２回動位置側回動阻止手段９Ｄが第２回動部材７３の図１７における矢印Ｘ方向への回動を阻止、ひいては受話ケース３の第２回動位置から第２初期位置側への回動を阻止しようとする。ここで、第１回動位置側回動阻止手段９Ｂの一部を構成する第１係合凹部６３Ｂの傾斜面６３ｃの傾斜角度をα２（図１５参照）とし、第２回動位置側回動阻止手段９Ｄの一部を構成する第２係合凹部７３Ｂの傾斜面７３ｃの傾斜角度をβ３（図１６参照）とすると、
α２＜β３
に設定されている。したがって、第１回動位置側回動阻止手段９Ｂの回動阻止力と第２回動位置側回動阻止手段９Ｄの回動阻止力とを比較すると、後者が前者より大きくなっている。よって、通話位置に位置している受話ケース３を中間位置側へ回動させると、受話ケース３はヒンジ本体５に対し第２回動位置において停止状態を維持し、ヒンジ本体５が第１回動位置から第１初期位置側へ回動する。
【００４４】
受話ケース３が中間位置に位置しているときには、ヒンジ本体５が第１初期位置に位置し、受話ケース３がヒンジ本体５に対して第２回動位置に位置している。この状態において、受話ケース３を中間位置から折畳位置側へ回動させようとすると、第１初期位置側停止手段１０Ａが球体６６の図１５における矢印Ｙ方向への移動を阻止し、ヒンジ本体５の第１初期位置を越える回動を阻止しようとする。これと同時に、第２回動位置側回動阻止手段９Ｄが第２回動部材７３の図１７における矢印Ｙ方向への回動を阻止し、受話ケース３の第２回動位置から第２初期位置側への回動を阻止しようとする。ここで、第１初期位置側停止手段１０Ａの一部を構成する第１係合凹部６３Ａの傾斜面６３ｂの傾斜角度をα３（図１５参照）とすると、
α３＞β３
に設定されている。したがって、第１初期位置側停止手段１０Ａの停止力と第２回動位置側回動阻止手段９Ｄの回動阻止力とを比較すると、前者が後者より大きくなっている。よって、中間位置に位置している受話ケース３を折畳位置側へ回動させると、ヒンジ本体５が第１初期位置において停止状態を維持する一方、受話ケース３が第２回動位置から第２初期位置側へ回動する。なお、角度α３は、角度β２と同一に設定されている。
【００４５】
なお、第１回動位置側停止手段１０Ｂの一部を構成する第１係合凹部６３Ｂの傾斜面６３ｄの傾斜角度をα４（図１５参照）とし、第２初期位置側停止手段１０Ｃの一部を構成する第２係合凹部７３Ａの傾斜面７３ｂの傾斜角度をβ４（図１６参照）とすると、
α４＝β４＝α３（＝β２）
に設定されている。
【００４６】
上記構成の携帯電話機１において、いま受話ケース３が折畳位置に位置しているものとする。この状態においては、図１５に示すように、球体６６が第１係合凹部６３Ａの傾斜面６３ａ，６３ｂに接触し、図１６に示すように、球体７６が第２係合凹部７３Ａの傾斜面７３ａ，７３ｂに接触している。受話ケース３を通話位置側へ向かって回動させると、ヒンジ本体５は第１初期位置において停止状態を維持し、受話ケース３が第２初期位置側回動付勢手段９Ｃの回動付勢力に抗して第２初期位置から第２回動位置側へ回動する。受話ケース３が第２初期位置から所定角度（例えば１０°）だけ回動すると、球体７６が第２係合凹部７３Ａから抜け出る。すると、球体７６が第２回動部材７３の第２可動部材７４との対向面に接触する。この対向面は、第２回動軸線Ｌ２と直交する平面になっている。したがって、当該対向面と球体７６との間には、コイルばね７５の付勢力に応じた摩擦抵抗が発生する。この摩擦抵抗により、受話ケース３が第２係合凹部７３Ａを抜け出てから第２係合凹部７３Ｂに入り込むまでのうち、両端の所定角度を除いた所定の範囲においては、受話ケース３が任意の位置で停止させられる。
【００４７】
受話ケース３が中間位置から所定角度（例えば１０°）だけ手前の位置に達すると、球体７６が第２係合凹部７３Ｂの傾斜面７３ｃに接触するようになる。すると、第２回動位置側回動阻止手段９Ｄの付勢力によって受話ケース３が中間位置（第２回動位置）まで自動的に回動させられる。受話ケース３が中間位置に達すると、球体７６が傾斜面７３ｄに突き当たることによって停止し、受話ケース３が中間位置に停止する。このときには、図１５に示すように、球体６６が第１係合凹部６３Ａの傾斜面６３ａ，６３ｂに接触するとともに、図１７に示すように、球体７６が第２係合凹部７３Ｂの傾斜面７３ｃ、７３ｄに接触している。
【００４８】
受話ケース３を中間位置から通話位置側へ回動させる場合には、受話ケース３が第２回動位置に停止した状態を維持し、ヒンジ本体５が第１初期位置側回動阻止手段９Ａの付勢力に抗して第１初期位置から第１回動位置側へ回動する。ヒンジ本体５が第１初期位置から所定角度だけ回動すると、球体６６が第１係合凹部６３Ａから脱出して第１回動部材６３の第１可動部材６４との対向面に接触する。この対向面は、第１回動軸線Ｌ１と直交する平面になっている。したがって、当該対向面と球体６６との間には、コイルばね６５の付勢力に応じた摩擦抵抗が発生する。この摩擦抵抗により、受話ケース３が第１係合凹部６３Ａを抜け出てから第１係合凹部６３Ｂに入り込むまでの範囲のうち、両端の所定角度を除いた所定範囲においては、受話ケース３が任意の位置で停止させられる。
【００４９】
受話ケース３が通話位置から所定角度（例えば１０°）だけ手前の位置に達すると、換言すればヒンジ本体５が第１回動位置から所定角度だけ手前の位置に達すると、球体６６が第１係合凹部６３Ｂの傾斜面６３ｃに接触するようになる。すると、第１回動位置側回動阻止手段９Ｂの付勢力によってヒンジ本体５が第１回動位置まで自動的に回動させられる。それに伴って、受話ケース３が通話位置まで回動させられる。受話ケース３が通話位置に達すると、球体６６が傾斜面６３ｄに突き当たることによって停止し、受話ケース３が通話位置に停止する。このときには、図１８及び図１７に示すように、球体６６が第１係合凹部６３Ｂの傾斜面６３ｃ、６３ｄに接触し、球体７６が第２係合凹部７３ｂの傾斜面７３ｃ，７３ｄに接触している。
【００５０】
通話位置に停止している受話ケース３は、第１回動位置側停止手段１０Ｂ又は第２回動位置側停止手段１０Ｄの付勢力に抗してさらに回動させて通話位置を越えさせることも可能であるが、受話ケース３は、通話位置を越えて僅かな角度だけ回動すると、受話ケース３の一端部が送話ケース２の一端部に突き当たることによって直ちに停止し、それ以上は同方向へ回動不能になる。受話ケース３が送話ケース２に突き当たったときの位置を通話位置としてもよい。その場合には、受話ケース３が通話位置に達したときに球体６６が傾斜面６３ｄに突き当たる直前の位置に位置するように構成し、受話ケース３を第１回動位置側回動阻止手段９Ｂの付勢力によって送話ケース２に突き当たった状態（通話位置に位置している状態）に維持することが望ましい。
【００５１】
受話ケース３を通話位置から中間位置側へ回動させる場合には、受話ケース３が第２回動位置において停止した状態を維持し、ヒンジ本体５が第１回動位置側回動阻止手段の付勢力に抗して第１回動位置から第１初期位置側へ回動する。ヒンジ本体５が第１初期位置の所定角度（例えば１０°）だけ手前の位置まで回動すると、球体６６が第１係合凹部６３Ａの傾斜面７３ａに接触する。その結果、ヒンジ本体５が第１初期位置側回動阻止手段９Ａの回動付勢力によって第１初期位置まで自動的に回動させられる。第１初期位置に達したヒンジ本体５は、球体６６が第１係合凹部６３Ａの傾斜面６３ｂに突き当たることによって停止し、中間位置に停止する。ヒンジ本体５が第１回動位置から第１初期位置まで回動して停止すると、ヒンジ本体５と一体に回動する受話ケース３が通話位置から中間位置まで回動し、中間位置において停止する。なお、ヒンジ本体５が第１回動位置と第１初期位置との間の両端を除く所定の範囲内においては、前述の場合と同様に、球体６６と第１回動部材６３との間に作用する摩擦抵抗により受話ケース３を任意の位置で停止させることができる。
【００５２】
受話ケース３を中間位置から折畳位置側へ回動させる場合には、ヒンジ本体５が第１初期位置において停止した状態を維持し、受話ケース３が第２回動位置側回動阻止手段９Ｄの回動付勢力に抗して第２回動位置から第２初期位置側へ回動する。受話ケース３が第２初期位置の所定角度（例えば１０°）だけ手前の位置に達すると、球体７６が第２係合凹部７３Ａの傾斜面７３ａに接触する。この結果、受話ケース３が第２初期位置側回動阻止手段９Ｃの回動付勢力によって自動的に第２初期位置まで回動させられる。受話ケース３は、第２初期位置まで回動すると、第１係合凹部７３Ａの傾斜面７３ｂに突き当たって停止する。このとき、受話ケース３は、折畳位置に達している。これにより、携帯電話機１が元の状態に戻る。
【００５３】
折畳位置に停止している受話ケース３は、第１初期位置側停止手段１０Ａ又は第１初期位置側停止手段１０Ｃの回動付勢力に抗してさらに回動させて折畳位置を越えさせることも可能であるが、受話ケース３は、折畳位置を越えて僅かな角度だけ回動すると、受話ケース３の前面３ａが送話ケース２の前面２ａに直ちに突き当たることによって停止し、それ以上は同方向へ回動不能になる。受話ケース３が送話ケース２に突き当たったときの位置を折畳位置としてもよい。その場合には、受話ケース３が折畳位置に達したときに球体７６が傾斜面７３ｂに突き当たる直前の位置に位置するように構成し、受話ケース３を第２初期位置側回動阻止手段９Ｃの付勢力によって送話ケース２に突き当たった状態（折畳位置に位置している状態）に維持することが望ましい。
【００５４】
このように、この携帯電話機１においては、２軸ヒンジ装置４を用いて送話ケース２と受話ケース３とを回動可能に連結しているが、受話ケース３とヒンジ本体５との回動順序を常に一定にすることができる。したがって、携帯電話機１の使用者が違和感を抱くのを未然に防止することができる。
【００５５】
次に、受話ケース３とヒンジ本体５との回動順序を変更したこの発明の第２の実施の形態について説明する。
この発明の第２実施の形態は、受話ケース３が折畳位置から中間位置を経て通話位置まで回動するときに、まずヒンジ本体５が第１初期位置から第１回動位置まで回動して受話ケース３を中間位置まで回動させた後、受話ケース３が第２初期位置から第２回動位置まで回動することによって受話ケースを通話位置まで回動させるようにしたものである。なお、受話ケース３が通話位置から折畳位置まで回動するときの受話ケース３とヒンジ本体５との回動順序は、上記第１実施の形態と同一である。
【００５６】
受話ケース３を第２初期位置に停止させた状態で、ヒンジ本体５を第１初期位置から第１回動位置まで回動させ、それによって受話ケース３を中間位置まで回動させるために、第１初期位置側回動阻止手段９Ａの一部を構成する第１係合凹部６３Ａの傾斜面６３ａの傾斜角度α１と、第２初期位置側回動阻止手段９Ｃの一部を構成する第２係合凹部７３Ａの傾斜面７３ａの傾斜各β１との間に、α１＜β１が採用されている。この結果、第２初期位置側回動阻止手段９Ｃの回動阻止力（回動付勢力）が第１初期位置側回動阻止手段９Ａの回動阻止力より大きくなる。したがって、受話ケース３が折畳位置から中間位置まで回動する際には、受話ケース３がヒンジ本体５に対して停止状態を維持し、ヒンジ本体５が第１初期位置から第１回動位置まで回動する。
【００５７】
受話ケース３が中間位置から通話位置まで回動する際には、ヒンジ本体５が第１回動位置において停止状態を維持し、受話ケース３が第２初期位置から第２回動位置まで回動する。このような回動順序を可能にするために、第１係合凹部６３Ｂの傾斜面６３ｄの傾斜角度α４が、第２係合凹部７３Ａの傾斜面７３ａの傾斜角度β１より大きく設定されている。この結果、第１回動位置側停止手段１０Ｂの回動停止力が、第２初期位置側回動阻止手段９Ｃの回動阻止力より大きくなる。したがって、受話ケース３が中間位置から通話位置まで回動する際には、ヒンジ本体５が停止状態を維持し、受話ケース３が回動する。
【００５８】
この発明の第３実施の形態においては、第２実施の形態とは逆に、受話ケース３が折畳位置から通話位置まで回動する場合には、第１実施の形態と同様に、受話ケース３が第２初期位置から第２回動位置まで回動した後、ヒンジ本体５が第１初期位置から第１回動位置まで回動するようになっている。しかし、受話ケース３が通話位置から折畳位置まで回動する場合には、受話ケース３が第２回動位置から第１回動位置まで回動した後、ヒンジ本体５が第１回動位置から第１初期位置まで回動するようになっている。
【００５９】
受話ケース３が通話位置から折畳位置まで回動する際に、受話ケース３、ヒンジ本体５という回動順序を達成するために、まずα２＞β３が採用されている。このような角度関係を採用すると、第１回動位置側回動阻止手段９Ｂの回動阻止力（回動付勢力）が第２回動位置側回動阻止手段９Ｄの回動阻止力より大きくなる。したがって、受話ケース３が通話位置から中間位置側へ回動する際には、ヒンジ本体５が第１回動位置において停止状態を維持する一方、受話ケース３が第２回動位置から第２初期位置まで回動する。
【００６０】
受話ケース３が中間位置から折畳位置まで回動する際に、ヒンジ本体５、受話ケース３という回動順序を達成するために、α２＜β４が採用されている。このような角度関係を採用すると、第２初期位置側停止手段１０Ｃの回動停止力（回動付勢力）が第１回動位置側回動阻止手段９Ｂの回動阻止力（回動付勢力）より大きくなる。したがって、受話ケース３が中間位置から折畳位置まで回動する際には、受話ケース３が第２初期位置において停止状態を維持する一方、ヒンジ本体５が第１回動位置から第１初期位置まで回動する。これにより、受話ケース３が中間位置から折畳位置まで回動する。
【００６１】
なお、この発明は、上記の実施の形態に限定されるものでなく、この発明の精神を逸脱しない範囲において適宜変更可能である。
例えば、第１〜第４停止手段１０Ａ〜１０Ｄの各一部を構成する傾斜面６３ｂ，６３ｄ，７３ｂ，７３ｄに代えて、第１、第２回動軸線Ｌ１．Ｌ２と平行な垂直面にしてもよい。
また、第１、第２固定部材６１，７１については、ヒンジ本体５と一体に形成してもよい。その場合には、第１、第２可動部材６４，７４がヒンジ本体５に移動可能に、かつ回動不能に設けられる。
【図面の簡単な説明】
【００６２】
【図１】この発明の第１実施の形態を、受話ケースを折畳位置に回動させた状態で示す斜視図である。
【図２】同実施の形態を、受話ケースを中間位置に回動させた状態で示す斜視図である。
【図３】同実施の形態を、受話ケースを通話位置に回動させた状態で示す斜視図である。
【図４】同実施の形態を示す分解斜視図である。
【図５】同実施の形態を、受話ケースを折畳位置に回動させた状態で示す側面図である。
【図６】図５のＸ−Ｘ線に沿う拡大断面図である。
【図７】図６のＸ−Ｘ線に沿う拡大断面図である。
【図８】受話ケースが中間位置に回動したときの状態を示す図７と同様の断面図である。
【図９】受話ケースが通話位置に回動したときの状態を示す図７と同様の断面図である。
【図１０】同実施の形態において用いられている第１ヒンジを示す側面図である。
【図１１】図１０のＸ−Ｘ線に沿う断面図である。
【図１２】同第１ヒンジの分解斜視図である。
【図１３】同第１ヒンジの第１可動部材を示す図であって、図１３（Ａ）はその斜視図、図１３（Ｂ）はその下面図、図１３（Ｃ）は図１３（Ｂ）のＣ−Ｃ線に沿う断面図である。
【図１４】同実施の形態の第１ヒンジに用いられている第１回動部材の一端面に形成された二対の第１係合凹部と一対の球体との関係、及び第２ヒンジに用いられている第２回動部材の一端面に形成された二対の第２係合凹部と一対の球体との関係をを示す図であって、図１４（Ａ）は受話ケースが折畳位置に位置しているときの関係を示し、図１４（Ｂ）は受話ケースが中間位置に位置しているときの関係を示し、図１４（Ｃ）は受話ケースが通話位置に位置しているときの関係を示している。
【図１５】図１４（Ａ）のＰ−Ｐ線に沿う拡大断面図である。
【図１６】図１４（Ａ）のＱ−Ｑ線に沿う拡大断面図である。
【図１７】図１４（Ｂ）のＲ−Ｒ線に沿う拡大断面図である。
【図１８】図１４（Ｃ）のＳ−Ｓ線に沿う拡大断面図である。
【符号の説明】
【００６３】
Ｌ１  第１回動軸線
Ｌ２  第２回動軸線
１  携帯電話機
２  送話ケース（第１ケース）
３  受話ケース（第２ケース）
４  ２軸ヒンジ装置
５  ヒンジ本体
６Ａ  第１ヒンジ
６Ｂ  第１ヒンジ
７Ａ  第２ヒンジ
７Ｂ  第２ヒンジ
９Ａ  第１初期位置側回動阻止手段
９Ｂ  第１回動位置側回動阻止手段
９Ｃ  第２初期位置側回動阻止手段
９Ｄ  第２回動位置側回動阻止手段
１０Ａ  第１初期位置側停止手段
１０Ｂ  第１回動位置側停止手段
１０Ｃ  第２初期位置側停止手段
１０Ｄ  第２回動位置側停止手段
６１  第１固定部材
６３  第１回動部材
６４  第１可動部材
６５  第１コイルばね（第１付勢手段）
７１  第２固定部材
７３  第２回動部材
７４  第２可動部材
７５  第２コイルばね（第２付勢手段）
【図１】
2005083462.tif 000003
【図２】
2005083462.tif 000004
【図３】
2005083462.tif 000005
【図４】
2005083462.tif 000006
【図５】
2005083462.tif 000007
【図６】
2005083462.tif 000008
【図７】
2005083462.tif 000009
【図８】
2005083462.tif 000010
【図９】
2005083462.tif 000011
【図１０】
2005083462.tif 000012
【図１１】
2005083462.tif 000013
【図１２】
2005083462.tif 000014
【図１３】
2005083462.tif 000015
【図１４】
2005083462.tif 000016
【図１５】
2005083462.tif 000017
【図１６】
2005083462.tif 000018
【図１７】
2005083462.tif 000019
【図１８】
2005083462.tif 000020